(57)【要約】      （修正有）【課題】開封が容易であって、かつ、収納物が取り出しやすく、用いる用紙が少なくてすむ吊下げ用紙箱を提供する。【解決手段】正面板１と、上面板２と、上面板の先端に接続する吊下げ板４と、正面板に対向する背面板８と、その間に設けられた左側面板６と右側面板７と、を有する吊下げ用紙箱であって、背面板の上方には上面貼着板１０が設けられ、上面貼着板が上面板に貼着されていて、背面板に左右方向に向かい、左側面板および右側面板に至る背面板切れ目線１７と、左側面板には背面板切れ目線の端部より正面板に向かう左側切れ目線と１８、右側面板には前記背面板切れ目線の端部より前記正面板に向かう右側切れ目線２０と、が設けられていて、背面板切れ目線で背面板を切断し、左側切れ目線と右側切れ目線を切断し、吊下げ用紙箱の上部を開封後、吊下げ板を、背面板切れ目線を切断してできた背面板切断線より吊下げ用紙箱の内方に差込み、再封が可能である。【選択図】図１
2012025452.tif 000002
【特許請求の範囲】
【請求項１】
正面板と、該正面板の上方に設けられた上面板と、該上面板の先端に接続する吊下げ板と、前記正面板に対向する背面板と、該背面板と前記正面板の間に設けられた左側面板と右側面板と、を少なくとも有する吊下げ用紙箱であって、
前記背面板の上方には上面貼着板が設けられ、該上面貼着板が前記上面板に貼着されていて、
前記背面板に左右方向に向かい、前記左側面板および前記右側面板に至る背面板切れ目線と、前記左側面板には前記背面板切れ目線の端部より前記正面板に向かう左側切れ目線と、前記右側面板には前記背面板切れ目線の端部より前記正面板に向かう右側切れ目線と、が設けられていて、
前記背面板切れ目線で前記背面板を切断し、前記左側切れ目線と前記右側切れ目線を切断して、前記吊下げ用紙箱の上部を開封した後、前記吊下げ板を、前記背面板切れ目線を切断してできた背面板切断線より前記吊下げ用紙箱の内方に差込み、再封が可能であることを特徴とする吊下げ用紙箱。
【請求項２】
前記背面板切れ目線が、帯状に切取可能な２本の並列した切れ目線であることを特徴とする請求項１に記載の吊下げ用紙箱。
【請求項３】
前記背面板切れ目線の帯状に切取可能な２本の並列した切れ目線を切取ることによって係止突起が形成され、
前記吊下げ板を、前記背面板切れ目線を切断してできた前記背面板切断線より前記吊下げ用紙箱の内方に差込んだとき、前記係止突起が前記吊下げ板に設けた吊下げ孔に差込み係止することが可能であることを特徴とする請求項２に記載の吊下げ用紙箱。
【請求項４】
前記係止突起が、根元より先端部分の幅が広くなり、先端部分の左右端部のいずれかが、他端部大きく広がり、
係止突起の先端部分の幅が吊下げ孔の幅より広くなっていることを特徴とする請求項３に記載の吊下げ用紙箱。
【発明の詳細な説明】
【技術分野】
【０００１】
本発明は、吊下げ用紙箱に関するものである。
【背景技術】
【０００２】
従来から、菓子食品類や薬品類、玩具類、日用品などを幅広く収容して店頭でフック等に吊下げて展示、販売する、吊下げ用紙箱が広く用いられている。
【０００３】
吊下げ用紙箱は、商品の収納部分より飛び出した吊下げ板に、吊下げ孔を設けた構造になっており、吊下げ板が、紙箱を形成するブランクと一体として設けられているものや、別体の吊下げ板を接着剤などで、取り付けたものがある。
【０００４】
そして、収納物の取り出しと再収納が容易な吊下げ用紙箱３００として、例えば、図１３（Ａ）のような、上面板２で収納部上部を覆い、さらに、その上面板２を正面板１から延設された上面連接板２３で覆うようにし、そして、上面板２を覆った上面連接板２３から折罫によって上方へ屈曲し、さらに折り返して下端で背面板８に接着された吊下げ板４を延設した吊下げ用紙箱３００があった（特許文献１）。
【０００５】
この吊下げ用紙箱３００を開封して収納物を取り出すときは、図１３（Ｂ）のように、吊下げ板４およびこの吊下げ板４に接続している上面連接板２３を切り取り、上面板２を露出させて開き、収納物を取り出す。再収納のときは、図１３（Ｃ）のように、上面板２とこの上面板２から延設された差込片２１を収納部側に差込み再封する。
【０００６】
公知文献を以下に示す。
【先行技術文献】
【特許文献】
【０００７】
【特許文献１】特開２００５−４１５３５号公報
【発明の概要】
【発明が解決しようとする課題】
【０００８】
前述の吊下げ用紙箱３００は、再封が容易ではあるが、収納物を取り出すとき、上面のみを開放するので、収納物を取り出しにくい。また、上面板のほかに上面連接板を設けていて、開封するときは、吊下げ板と上面連接板を切り取るようにしているので、吊下げ用紙箱に用いる用紙の面積が広くなるといった問題がある。
【０００９】
本発明は、開封が容易であって、かつ、収納物が取り出しやすく、用いる用紙が少なくてすむ吊下げ用紙箱を提供することを課題とする。
【課題を解決するための手段】
【００１０】
本発明は係る課題に鑑みなされたものであり、請求項１の発明は、正面板と、該正面板の上方に設けられた上面板と、該上面板の先端に接続する吊下げ板と、前記正面板に対向する背面板と、該背面板と前記正面板の間に設けられた左側面板と右側面板と、を少なくとも有する吊下げ用紙箱であって、
前記背面板の上方には上面貼着板が設けられ、該上面貼着板が前記上面板に貼着されていて、
前記背面板に左右方向に向かい、前記左側面板および前記右側面板に至る背面板切れ目線と、前記左側面板には前記背面板切れ目線の端部より前記正面板に向かう左側切れ目線と
、前記右側面板には前記背面板切れ目線の端部より前記正面板に向かう右側切れ目線と、が設けられていて、
前記背面板切れ目線で前記背面板を切断し、前記左側切れ目線と前記右側切れ目線を切断して、前記吊下げ用紙箱の上部を開封した後、前記吊下げ板を、前記背面板切れ目線を切断してできた背面板切断線より前記吊下げ用紙箱の内方に差込み、再封が可能であることを特徴とする吊下げ用紙箱である。
【００１１】
本発明の吊下げ用紙箱は、以上のような構成であって、背面板に左右方向に向かい、左側面板および右側面板に至る背面板切れ目線と、左側面板には背面板切れ目線の端部より前記正面板に向かう左側切れ目線と、右側面板には背面板切れ目線の端部より前記正面板に向かう右側切れ目線と、が設けられていて、該背面板切れ目線で背面板を切断し、左側切れ目線と右側切れ目線を切断して、紙箱の上部を正面板側に倒すことができ、収納物を取り出しやすい。
【００１２】
また、流通過程の輸送や保管などにおいて、あるいは、店舗で吊下げて展示しない場合には、吊下げ板を背面板と重なるように折り返すことによって、コンパクトにすることができ、省スペースになりコスト的にも有利である。
【００１３】
また、吊下げ板を、背面板切れ目線を切断してできた背面板切断線より吊下げ用紙箱の内方に差込み、再封する構成としたので、別途に上面連接板を設ける必要がなく、用いる用紙が少なくて済み、コスト的にも有利である。
【００１４】
本発明の請求項２の発明は、前記背面板切れ目線が、帯状に切取可能な２本の並列した切れ目線であることを特徴とする請求項１に記載の吊下げ用紙箱である。
【００１５】
本発明はさらに、背面板切れ目線を、帯状に切取可能な２本の並列した切れ目線としたので、容易に切断でき開封が容易である。
【００１６】
本発明の請求項３の発明は、前記背面板切れ目線の帯状に切取可能な２本の並列した切れ目線を切取ることによって係止突起が形成され、
前記吊下げ板を、前記背面板切れ目線を切断してできた前記背面板切断線より前記吊下げ用紙箱の内方に差込んだとき、前記係止突起が前記吊下げ板に設けた吊下げ孔に差込み係止することが可能であることを特徴とする請求項２に記載の吊下げ用紙箱である。
【００１７】
本発明はさらに、背面板切れ目線の帯状に切取可能な２本の並列した切れ目線を切取ることによって係止突起が形成され、係止突起を吊下げ板に設けた吊下げ孔に差込み係止することができるので、再封したときに不用意に開いてしまうことがない。
【００１８】
本発明の請求項４の発明は、前記係止突起が、根元より先端部分の幅が広くなり、先端部分の左右端部のいずれかが、他端部大きく広がり、
係止突起の先端部分の幅が吊下げ孔の幅より広くなっていることを特徴とする請求項３に記載の吊下げ用紙箱である。
【００１９】
本発明はさらに、前記係止突起が、根元より先端部分の幅が広くなり、先端部分の左右端部のいずれかが、他端部大きく広がり、
係止突起の先端部分の幅が吊下げ孔の幅より広くなっているので、再封したときに不用意に開いてしまうことを、より一層少なくすることができる。
【発明の効果】
【００２０】
本発明の吊下げ用紙箱は、開封が容易であって、かつ、収納物が取り出しやすく、また
、用いる用紙が少なくて済みコスト的にも有利である。更には、流通過程などではコンパクトにすることができ、省スペースになりコスト的にも有利である。
【図面の簡単な説明】
【００２１】
【図１】本発明の吊下げ用紙箱の一例の展開図である。
【図２】本発明の吊下げ用紙箱の一例の斜視図である。
【図３】本発明の吊下げ用紙箱の一例の正面図である。
【図４】本発明の吊下げ用紙箱の一例の背面図である。
【図５】本発明の吊下げ用紙箱の一例の開封した状態を説明する側面図である。
【図６】本発明の吊下げ用紙箱の一例の再封した状態を説明する斜視図である。
【図７】本発明の吊下げ用紙箱の他の例の展開図である。
【図８】本発明の吊下げ用紙箱の他の例の斜視図である。
【図９】本発明の吊下げ用紙箱の他の例の正面図である。
【図１０】本発明の吊下げ用紙箱の他の例の背面図である。
【図１１】本発明の吊下げ用紙箱の他の例の開封した状態を説明する側面図である。
【図１２】本発明の吊下げ用紙箱の他の例の再封した状態を説明する斜視図である。
【図１３】（Ａ）従来の吊下げ用紙箱の一例の封止された状態を説明する側面の断面図である。（Ｂ）従来の吊下げ用紙箱の一例の吊下げ板を切り取り開封した状態を説明する側面の断面図である。（Ｃ）従来の吊下げ用紙箱の一例の再封した状態を説明する側面の断面図である。
【発明を実施するための形態】
【００２２】
以下本発明を実施するための形態につき説明する。
本例の吊下げ用紙箱は、板紙、厚紙などの紙を打ち抜き、切れ目線や、折罫を設けたブランクを、折罫より折り曲げ、必要部分を接着して形成する。尚、折罫は、押罫または破線状のカット線で設けている。
【００２３】
使用する紙としては、バージン紙、カード紙、カップ原紙、コートボール紙、チップボール紙などが使用できる。また、晒しクラフト紙、上質紙などを積層して用いても良い。紙の坪量を２００〜７００ｇ／ｍ２のものが、好ましく使用できる。
【００２４】
図１は、本発明の吊下げ用紙箱の一例の展開図、図２は、本発明の吊下げ用紙箱の一例の斜視図、図３は、本発明の吊下げ用紙箱の一例の正面図、図４は、本発明の吊下げ用紙箱の一例の背面図、図５は、本発明の吊下げ用紙箱の一例の開封した状態を説明する側面図、図６は、本発明の吊下げ用紙箱の一例の再封した状態を説明する斜視図である。
【００２５】
本例の吊下げ用紙箱１００は、図１の展開図のように、正面板１と、正面板１の上方に設けられた上面板２と、本例では１と正面板１と上面板２の間に上下の２本の曲線状の折罫によって傾斜板３とが設けられている。そして、上面板２の上端から吊下げ板４が延設されている。正面板１の下端には、底面板５が設けられている。
【００２６】
正面板１の左右には、左側面板６と右側面板７と、左側面板６の左側には、組み立てたとき、正面板１に対向する背面板８と、背面板８の左側には側部貼着板９が設けられ、背面板８の上端には上面貼着板１０が設けられ、背面板８の下端には床面板１１が設けられている。
【００２７】
また、吊下げ板４には、吊下げ孔１２が設けられていて、店舗などで展示するときに、フックなどに吊下げ孔１２をかけられるようになっている。左側面板６と右側面板７の上下にはそれぞれ、折込片１３、１４、１５、１６が設けられている。
【００２８】
背面板８の上部には、背面板切れ目線１７が帯状に切取可能な２本の並列した切れ目線１７ａ、１７ｂによって設けられている。切れ目線１７ａ、１７ｂは、破線状に並んだ第１の切れ目と、各第１の切れ目の切断方向上流側の端部に設けられた互いの方向に向け斜め上流側に向かう第２の切れ目からなる屈曲した切れ目が、それぞれ複数並んで構成されている。
【００２９】
背面板８の右側の左側面板６には、背面板切れ目線１７の端部から正面板１に向かう左側切れ目線１８が設けられている。また、背面板８の左側の側部貼着板９にも、背面板切れ目線１７の端部から反対側の端まで、貼着板切れ目線１９が設けられている。
【００３０】
そして、右側面板７には正面板１から右端に至る右側切れ目線２０が設けられていて、吊下げ用紙箱１００を組み立てた際、側部貼着板９を右側面板７の内面に貼着させたときに貼着板切れ目線１９と右側切れ目線２０は重なり合って、右側切れ目線２０は背面板切れ目線１７の端部より前記正面板１に向かって設けられたことになる。
【００３１】
左側切れ目線１８、貼着板切れ目線１９、右側切れ目線２０は、それぞれ、破線状の切れ目線や、繋がった線状の切れ目線にしても良いが、本例では線状の切れ目の一部に切れていない部分を設けた切れ目線とした。
【００３２】
また、正面板１には、左側切れ目線１８および右側切れ目線２０の正面板１側のそれぞれの端部を結ぶように折罫ａが、押罫で設けられていて、背面板切れ目線１７、左側切れ目線１８、貼着板切れ目線１９、右側切れ目線２０を切断して、吊下げ用紙箱１００を開けるときに、折罫ａで折り曲げることによって開けやすくしてある。
【００３３】
この吊下げ用紙箱１００を組み立てるには、側部貼着板９、背面板８、左側面板６、正面板１、右側面板７をそれぞれの間の折罫で折って、筒状とし、側部貼着板９を右側面板５の内側に接着剤で貼着させ、断面が方形の筒状とする。
【００３４】
次に、折込片１３、１５をそれぞれ、内方に折って、さらに、上面貼着板１０を内方に折る。そして、傾斜板３の上下の曲線状の折罫を折って、上面板２と、傾斜板３の一部とを上面貼着板１０に重なるように折って接着剤で貼着する。そして、吊下げ板４を背面板８と面一になるように折って立てる。
【００３５】
上部が出来上がった吊下げ用紙箱１００の下端の開口部より、収納物を入れて、折込片１４、１６を内方に折り、続いて、床面板１１を内方に折り、次いで、底面板５を内方に折り、床面板１１の外面と底面板５の内面とを接着剤で接着する。これによって、図２の斜視図の吊下げ用紙箱１００の包装体が出来上がる。
【００３６】
吊下げ用紙箱１００を正面から見ると、図３のように、吊下げ板４と、吊下げ板４に設けられた吊下げ孔１２が見えており、吊下げ可能となっている。また、傾斜板３と正面板１がその下方に見えている。
【００３７】
吊下げ用紙箱１００を背面から見ると、図４のように、吊下げ板４と、吊下げ板４に設けられた吊下げ孔１２が見えており、その下に、背面板８と、背面板８に設けた背面板切れ目線１７が見えている。
【００３８】
吊下げ用紙箱１００を開封するときには、背面板８に設けた背面板切れ目線１７を切り取って、背面板切れ目線１７より上の吊下げ用紙箱１００の上部を、左側切れ目線１８と、右側切れ目線２０を切断し、正面板１に設けた折罫ａで折って、図５の側面図のように、正面板１側に倒す。これによって、背面板切れ目線１７より上の吊下げ用紙箱１００の上部が開放されるので、容易に開封でき、収納物の取り出しも容易にすることができる。
【００３９】
開封した吊下げ用紙箱１００を再封するには、倒した背面板切れ目線１７より上の吊下げ用紙箱１００の上部を、元の位置に戻して、吊下げ板４を背面板切れ目線１７の切れ目線１７ｂが切れてできた背面板切断線より、吊下げ用紙箱１００の下部の背面板８に沿って、吊下げ用紙箱１００の内方に差し込めば、図６のように、再封することができ、コンパクトに保管することができる。
【００４０】
また、流通過程の輸送や保管などにおいて、あるいは、店舗で吊下げて展示しない場合には、吊下げ板を背面板と重なるように折り返すことによって、コンパクトにすることができ、省スペースになりコスト的にも有利である。
【００４１】
図７は、本発明の吊下げ用紙箱の他の例の展開図、図８は、本発明の吊下げ用紙箱の他の例の斜視図、図９は、本発明の吊下げ用紙箱の他の例の正面図、図１０は、本発明の吊下げ用紙箱の他の例の背面図、図１１は、本発明の吊下げ用紙箱の他の例の開封した状態を説明する側面図、図１２は、本発明の吊下げ用紙箱の他の例の再封した状態を説明する斜視図である。
【００４２】
本例の吊下げ用紙箱２００は、図７の展開図のように、正面板１と、正面板１の上方に設けられた上面板２とが設けられている。そして、上面板２の上端から吊下げ板４が延設されている。正面板１の下端には、底面板５が設けられ、底面板５の下端には差込片２１が設けられてる。
【００４３】
正面板１の左右には、左側面板６と右側面板７と、右側面板７の右側には、側部貼着板９が設けられている。左側面板６の左側には、組み立てたときに正面板１と対向する背面板８が設けられている。背面板８の上端には上面貼着板１０が設けられている。また、左側面板６と右側面板７の上下にはそれぞれ、折込片１３、１４、１５、１６が設けられている。
【００４４】
また、吊下げ板４には、吊下げ孔１２が設けられていて、店舗などで展示するときに、フックなどに吊下げ孔１２をかけられるようになっている。本例では、吊下げ孔１２の形状を横長の長円形の左右中央部の上部に円の一部が突き出た形状となっている。
【００４５】
背面板８の上部には、背面板切れ目線１７が帯状に切取可能な２本の並列した切れ目線１７ａ、１７ｂによって設けられている。切れ目線１７ａ、１７ｂは、破線状に並んだ第１の切れ目と、各第１の切れ目の切断方向上流側の端部に設けられた互いの方向に向け斜め上流側に向かう第２の切れ目からなる屈曲した切れ目が、それぞれ複数並んで構成されている。
【００４６】
切れ目線１７ｂの中間部には切れ目１７ｃによって係止突起２２が形作られていて、背面板切れ目線１７を帯状に切取ったとき、係止突起２２が上方に突き出て残るようにしてある。また、１７ａと１７ｂの間の８と６の間の折罫部分には、切れ目が設けられ、背面板切れ目線１７を帯状に取れるようにしてある。
【００４７】
背面板８の右側の左側面板６には、背面板切れ目線１７の端部から正面板１に向かう左側切れ目線１８が設けられている。また、右側面板７には正面板１から右端に至る右側切れ目線２０が設けられていて、右側面板７の右側の側部貼着板９にも、右側面板７の右側切れ目線２０の端部から反対側の端まで、水平方向になるように貼着板切れ目線１９が設けられている。
【００４８】
左側切れ目線１８と右側切れ目線２０は、開封時に、背面板切れ目線１７が切断された後、背面板８側から正面板１側に向かって切断されるので、破線状に並んだ第１の切れ目が斜め下方向に向かって設けられ、各第１の切れ目の切断方向上流側の端部に設けられ、第１の切れ目の上側の切断方向上流側に向かう第２の切れ目からなる屈曲した切れ目が、複数並んで構成されている。
【００４９】
貼着板切れ目線１９は、破線状の切れ目線や、繋がった線状の切れ目線にしても良いが、本例では線状の切れ目の一部に切れていない部分を設けた切れ目線とした。
【００５０】
また、正面板１には、左側切れ目線１８および右側切れ目線２０の正面板１側のそれぞれの端部を結ぶように折罫ａが、押罫で設けられていて、背面板切れ目線１７、貼着板切れ目線１９、左側切れ目線１８、右側切れ目線２０を切断して、吊下げ用紙箱２００を開けるときに、折罫ａで折り曲げることによって開けやすくしてある。
【００５１】
この吊下げ用紙箱２００を組み立てるには、背面板８、左側面板６、正面板１、右側面板７、側部貼着板９をそれぞれの間の折罫で折って、筒状とし、側部貼着板９を背面板８の内側に接着剤で貼着させ、断面が方形の筒状とする。
【００５２】
次に、折込片１３、１５をそれぞれ、内方に折って、さらに、上面貼着板１０を内方に折る。そして、上面板２を上面貼着板１０に重なるように折って接着剤で貼着する。そして、吊下げ板４を背面板８と面一になるように折り曲げて立てる。
【００５３】
上部が出来上がった吊下げ用紙箱２００の下端の開口部より、収納物を入れて、折込片１４、１６を内方に折り、続いて、底面板５と差込片２１の間の折罫と、正面板１と５の間の折罫をそれぞれ内方に折り、差込片２１を背面板８に沿って、差込み底部を形成する。これによって、図８の斜視図の吊下げ用紙箱２００の包装体が出来上がる。
【００５４】
吊下げ用紙箱２００を正面から見ると、図９のように、吊下げ板４と、吊下げ板４に設けられた吊下げ孔１２が設けられ、吊下げ可能となっている。また、正面板１がその下方には設けられている。また、正面板１の上部には、折罫ａが水平に設けられている。
【００５５】
吊下げ用紙箱２００を背面から見ると、図１０のように、吊下げ板４と、吊下げ板４に設けられた吊下げ孔１２が設けられており、その下に、背面板８と、背面板８に設けた切れ目線１７ａ、１７ｂからなる背面板切れ目線１７が設けられている。そして切れ目線１７ｂの中間部には、係止突起２２を形成する切れ目線１７ｃが設けられている。
【００５６】
吊下げ用紙箱２００を開封するときには、背面板８に設けた背面板切れ目線１７を切り取って、背面板切れ目線１７より上の吊下げ用紙箱２００の上部を、左側切れ目線１８と、右側切れ目線２０を切断し、正面板１に設けた折罫ａで折って、図１１の側面図のように、正面板１側に倒す。これによって、背面板切れ目線１７より上の吊下げ用紙箱１００の上部が開放されるので、容易に開封でき、収納物の取り出しも容易にすることができる。
【００５７】
開封した吊下げ用紙箱２００を再封するには、倒した背面板切れ目線１７より上の吊下げ用紙箱２００の上部を、元の位置に戻して、吊下げ板４を背面板切れ目線１７の切れ目線１７ｂが切れてできた背面板切断線より、吊下げ用紙箱２００の下部の背面板８に沿って、吊下げ用紙箱２００の内方に差し込む、そして、吊下げ用紙箱２００の下部の背面板８の上部に突出した係止突起２２を、吊下げ板４の吊り下げ孔１２に差し込んで係止する。
【００５８】
係止突起２２は、根元より先端部分の幅が広くなり、先端部分の左端部が、右端部より大きく広がり、係止突起２２の先端部分の幅が吊下げ孔１２の幅より広くなっている。これで、図１２のように、再封することができ、係止突起２２の先端部分の幅が吊下げ孔１２の幅より広くなっているので、しっかりと再封されて、不用意に開封されることがなく、また、コンパクトに保管することができる。
【００５９】
また、流通過程の輸送や保管などにおいて、あるいは、店舗で吊下げて展示しない場合には、吊下げ板を背面板と重なるように折り返すことによって、コンパクトにすることができ、省スペースになりコスト的にも有利である。
【符号の説明】
【００６０】
１００、２００、３００・・・吊下げ用紙箱
１・・・正面板
２・・・上面板
３・・・傾斜板
４・・・吊下げ板
５・・・底面板
６・・・左側面板
７・・・右側面板
８・・・背面板
９・・・側部貼着板
１０・・・上面貼着板
１１・・・床面板
１２・・・吊下げ孔
１３、１４、１５、１６・・・折込片
１７・・・背面板切れ目線
１７ａ、１７ｂ、１７ｃ・・・切れ目線
１８・・・左側切れ目線
１９貼着板切れ目線
２０・・・右側切れ目線
２１・・・差込片
２２・・・係止突起
２３・・・上面連接板
ａ・・・折罫
【図１】
2012025452.tif 000003
【図２】
2012025452.tif 000004
【図３】
2012025452.tif 000005
【図４】
2012025452.tif 000006
【図５】
2012025452.tif 000007
【図６】
2012025452.tif 000008
【図７】
2012025452.tif 000009
【図８】
2012025452.tif 000010
【図９】
2012025452.tif 000011
【図１０】
2012025452.tif 000012
【図１１】
2012025452.tif 000013
【図１２】
2012025452.tif 000014
【図１３】
2012025452.tif 000015